(57)【特許請求の範囲】
【請求項１】
スペーサを形成している一連のフィラメント(13)により共に結合されている第1の層(11)と第2の層(12)とを有する、リザーバ(10)を有する化粧用物品であって、前記フィラメントの各端部は前記第1の層および前記第2の層にそれぞれ接続されており、前記フィラメント(13)は、編むことにより前記第1の層および前記第2の層に結合されており、前記第1の層(11)は少なくとも、化粧品組成物(C)に透過性であり、前記第1の層および前記第2の層は、前記化粧用物品が使用されている間に、互いの間に前記化粧品組成物の少なくともいくらかを保持することができる、化粧用物品。
【請求項２】
前記第1の層(11)および前記第2の層(12)は織物層である、請求項1に記載の物品。
【請求項３】
また、前記第1の層(11)および前記第2の層(12)は、それらの周囲(18)の全部または一部にわたって、具体的には周囲の溶接または縫合により共に結合される、請求項1または2に記載の物品。
【請求項４】
前記第1の層(11)は肉眼では実質的に連続的であるように見える、請求項1から3のいずれか一項に記載の物品。
【請求項５】
前記第1の層(11)は肉眼では穿孔があるように見え、前記穿孔のより大きい寸法が1mmから15mmの間であることが好ましく、前記穿孔の断面積が特に1mm2から100mm2の間である、請求項1から3のいずれか一項に記載の物品。
【請求項６】
前記第2の層(12)は穿孔を有しており、前記穿孔のより大きい寸法は1mmから15mmの間であることが好ましく、前記穿孔の断面積は特に1mm2から100mm2の間である、請求項1から5のいずれか一項に記載の物品。
【請求項７】
前記第1の層(11)および前記第2の層(12)の対向面間で測定される前記リザーバ(10)の厚さが1mmから25mmの間、さらにより良くは5mmから15mmの間である、請求項1から6のいずれか一項に記載の物品。
【請求項８】
前記フィラメント(13)は前記第1の層および前記第2の層に対して垂直に配向されている少なくとも一部分を有する、請求項1から7のいずれか一項に記載の物品。
【請求項９】
前記フィラメント(13)は3mm以上の長さを有する、請求項1から8のいずれか一項に記載の物品。
【請求項１０】
前記リザーバ(10)は、上面図において、1cm2から80cm2の間を占める表面を有し、かつ/または前記リザーバ(10)の外形は円形である、請求項1から9のいずれか一項に記載の物品。
【請求項１１】
前記第1の層(11)は、前記化粧品組成物に透過性の第3の層(15)により外部からライニングされており、前記第3の層はテクスチャ付与されていることが好ましい、請求項1から10のいずれか一項に記載の物品。
【請求項１２】
前記化粧品組成物はファンデーション、口紅、アイシャドー、日焼け止めクリームから選択される、請求項1から11のいずれか一項に記載の物品。
【請求項１３】
請求項1から12のいずれか一項に記載の物品、およびケーシング、レフィル、または小袋を含む組立体。
【請求項１４】
請求項1から12のいずれか一項に記載の物品が中に保持される本体(3)と、前記本体に対して可動のカバーとを有する、化粧品ケーシング。
【請求項１５】
請求項1から12のいずれか一項に記載の物品の上で前記化粧品組成物を集め取るステップと、それをヒトの角質物質に塗布するステップとを含む、メークアップ方法。
【発明の詳細な説明】
【技術分野】
【０００１】
本発明は、化粧品分野に関し、より詳細には、それに限定しないが、ヒトの角質物質、特に皮膚をメークアップまたは手入れすることを目的とする化粧用物品に関する。
【背景技術】
【０００２】
多孔構造体に化粧品組成物を含浸させることが知られており、指またはアプリケータに製品を載せるために、それを前記多孔構造体に接触させることが可能である。
【０００３】
多数の特許出願の公報が、この種の化粧用物品を扱っている。
【０００４】
特に、特許文献１の出願を引用することができ、この出願は、一面が遮蔽物で覆われている、不織布で構成されている繊維の塊を含む物品を開示している。
【０００５】
この種の物品に起こる問題は、大量の組成物を貯蔵しかつ使用中にそれを徐々にかつ可能な限り完全に元の状態に戻す能力、形状記憶から恩恵を受ける必要、および様々な粘度の組成物を受容する能力、すべてが大規模販売の要件に適合する小さい外形および製造コストなど、様々な要因の間で妥協案を見つける必要があるということである。
【先行技術文献】
【特許文献】
【０００６】
【特許文献１】国際公開第２０１７／０１６６０８号
【特許文献２】国際公開第２０１２／１５３１３１号
【特許文献３】欧州特許第１８６３９５９号明細書
【発明の概要】
【発明が解決しようとする課題】
【０００７】
本発明は、化粧品組成物を含有するリザーバを有する化粧用物品をさらに改善することを目的としている。
【課題を解決するための手段】
【０００８】
その態様の第1のものによれば、それは、本目的を、スペーサを形成している一連のフィラメントにより共に結合されている(join together)第1の層と第2の層とを有するリザーバを有する化粧用物品であって、このフィラメントの各端部は第1の層および第2の層にそれぞれ接続されており、第1の層は少なくとも、化粧品組成物に透過性であり、第1の層と第2の層とは、特に物品が使用されている間に、互いの間に前記組成物の少なくともいくらかを保持することができる、化粧用物品により達成する。
【０００９】
本発明のさらなる対象が、第1の層と第2の層との間に少なくとも部分的に含有されている、特に第1の層と第2の層との間に大部分含有されている化粧品組成物を有するような物品である。
【００１０】
本発明によるリザーバは第1の層と第2の層との間に組成物用の自由空間を有し、比較的少数のフィラメントがスペーサ機能を確実にするのに十分であり得るので、この自由空間は比較的大きい可能性がある。結果として、組成物を貯蔵するリザーバの収容能力は比較的大きい。これは、必要に応じて、いくつかの既知のリザーバよりも、含有された同量の組成物を有する、より薄いリザーバを有することを可能にする。
【００１１】
さらに、フィラメントの長さおよび数ならびにその材料を調節することにより、リザーバの弾性特性、およびしたがって製品を集め取る時の荷重下でのその変形を、比較的正確に制御することが可能である。したがって、組成物および手入れされる角質物質の性質に、それを容易に適応させることが可能である。フィラメントは弾性的に変形することができ、集め取りが終了し次第、初期形状に戻るという良好な特性を確実にし得る。
【００１２】
また、本発明は、第1の層の材料、テクスチャ、および特性をあれこれ選択することを可能にする。したがって、第1の層を組成物の性質および所望の感触に適応させることが容易に可能である。たとえば、非常に流動性のある組成物では、組成物の通過に対する強い抵抗をもたらす目の細かい織物を第1の層として使用することが可能である。より粘性のある組成物では、製品がより容易に通過することを可能にするより目の粗い織物を使用することが可能である。
【００１３】
また、本発明は、必要に応じて、一般にフォームリザーバで可能になるよりもより粘性のある組成物、たとえば25℃かつ大気圧で測定された、200s-1の剪断率で4.5Pa.s以上かつ100Pa.s以下である粘度(No. 4スピンドルを備えつけられているRheomat RM 180粘度計を使用して、測定は、回転速度および粘度を安定させるために、スピンドルの回転の10分後に実施される)を有する組成物、を保持することを可能にする。粘度は、当然、4.5Pa.s未満、たとえば200s-1の剪断率で1mPa.s(または1CPo)と4.5Pa.sの間(No. 4スピンドルを備えつけられているRheomat RM 180粘度計を使用して、測定は、回転速度および粘度を安定させるために、スピンドルの回転の10分後に実施される)、である可能性がある。
【００１４】
また、第1の層と第2の層とは、それらの周囲の全部または一部にわたり、具体的には周囲の溶接または縫合により共に結合され得る。
【００１５】
組成物は25℃で液体である、すなわちその自重で流動する可能性がある。
【００１６】
第1の層は肉眼では実質的に連続的であるように見える可能性がある。「肉眼では」という用語は、普通の視力の目で15cmの距離で見えるという意味と理解されるべきである。変形形態では、第1の層は肉眼では穿孔があるように見える。
【００１７】
第1の層は、特に16から22の間のゲージを有する、編み物であってもよい。全体構造は編むことにより作り出されることが有利である。
【００１８】
第1の層は、特に製品がユーザにより集め取られる表面をそれが画定している場合、第2の層よりも穿孔されていないことが好ましい。第2の層は、物品を受容するハウジングの底部に対向することができ、したがって組成物を集め取るのに役立たない。それが穿孔を有することは、組成物を含まない物品を第1の層を上向きにハウジング内へ押し込むことにより装填が実施される場合、リザーバに組成物を最初に装填することをより容易にすることが可能である。
【００１９】
また、フィラメントは第2の層の無穿孔の領域から始まるので、第2の層にある穿孔の存在は、第1の層と第2の層とを結合するフィラメント量を減少させ、したがって組成物を保持し得る自由容積を増大させることを可能にする。
【００２０】
組成物の50重量%より多くが、物品の使用中、少なくとも一時にリザーバ内に含有され得る。特許文献１の出願において開示されている繊維マットと比較して、リザーバの収容能力を増大させるために、所望されるだけの数の穿孔を容易に作り出すことが可能である。
【００２１】
最初の使用時に、組成物のすべてがリザーバ内に含有されてもよい。言い換えれば、物品は、塗布される組成物のすべてを含有するリザーバと共に、ユーザに提供される。変形形態では、ユーザは、最初の使用時に、組成物を最初に含有するハウジング内へリザーバを押し込むことにより、それに組成物を装填する。リザーバがこのハウジングの底部に到達すると、組成物の大部分または組成物のすべてがリザーバの厚さ内に含有される。
【００２２】
一般に、穿孔の最大寸法は1mmから15mmの間である可能性がある。各穿孔の断面積は1mm2から100mm2の間である可能性がある。穿孔のすべては同じ形状であることが好ましい。
【００２３】
第1の層および第2の層の対向面間で測定されるリザーバの厚さは1mmから25mmの間、さらにより良くは3mmと20mmの間、さらにより良くは5mmから15mmの間である可能性がある。メークアップ用途では、1mmから15mmの間の厚さが好適である可能性があり、手入れ用途では、5mmと25mmの間の厚さが好適である可能性がある。
【００２４】
フィラメントは、第1の層および第2の層に対して垂直に配向されている少なくとも一部分を有し得る。本発明の一例示的実施形態では、フィラメントは各々、アーチ形状を有する。このことはリザーバにより大きな圧縮率を与えることができ、第1の層および第2の層を互いに向かって移動させるためにかけられる力を低減することができる。フィラメントは各々、複数繊維のフィラメントまたは紡糸繊維で作製されているフィラメントではなく、単一繊維のフィラメントであることが好ましい。このことは、それらにより高い剛性を与え、したがってリザーバの弾性およびその形状記憶に貢献する。フィラメントは3mm以上の長さを有することが好ましい。
【００２５】
リザーバは、全体的に、合成材料で、好ましくは熱可塑性物質で作製されていることが好ましい。たとえば、リザーバはポリエステル、ポリアミド、ポリオレフィン、その他のプラスチック材料で作製されている。
【００２６】
リザーバは、その厚さに対して垂直な方向に見ると交差しているフィラメントを含み得る。このことは、第2の層に対する第1の層のいかなる横方向のずれもなく、ユーザが第1の層を押した時に第1の層を第2の層に向かって移動させることができる。
【００２７】
第1の層および第2の層は織物層であることが好ましく、編まれた糸で構成されていることが好ましい。詳細には、スペーサを形成しているフィラメントは、編むことにより、第1の層および第2の層に結合されていることが有利である。
【００２８】
第1の層および第2の層は、針間にダブルスペースを有する織機上で編むことにより作り出され得る。それは、解くことができない縦編みまたは横編みである可能性がある。
【００２９】
リザーバは、上面図において、2cm2から80cm2の間を占める表面を有し得る。
【００３０】
リザーバの外形は円形であってもよいが、他の形状、特に多角形形状が可能である。形状は、特に必要に応じてパンチまたはレーザを使用して、切削することによりもたらされた可能性がある。
【００３１】
本発明の一例示的実施形態では、第1の層は、組成物に浸透性の第3の層により外部からライニングされている。この第3の層の存在は、第1の層が無視できないサイズの穿孔を有する場合、それがリザーバの外面に亘る組成物の分配を向上させるという点において非常に特に有利であり、前記外面はこの第3の層により画定されている。
【００３２】
第3の層はテクスチャ付与されていても、テクスチャ付与されていなくてもよい。第3の層は織物および不織布から選択され得る。
【００３３】
本発明によれば、物品内に存在している化粧品組成物は第1の層と第2の層との間に大部分含有されていることが好ましい。
【００３４】
「第1の層と第2の層との間に大部分含有されている」という表現は、物品内の総量に対して70重量%と100重量%の間の化粧品組成物が第1の層と第2の層との間に含有されていることを意味し、有利には80重量%と100重量%の間、より有利には90重量%と100重量%の間である。
【００３５】
本発明による物品は、第1の層と第2の層との間に取り付けられている、特にフォームなどの中間吸収構造体を有さないことが好ましい。したがって、化粧用物品は、第1の層と第2の層との間にフォームを含まないことが好ましい。本発明による物品は、単一の第1の層と単一の第2の層とを有することがより好ましい。
【００３６】
本発明による化粧用物品は、たとえばPUフォーム、SBRフォーム、またはポリオレフィンフォームなどのいかなるフォーム層も有さないことが有利である。
【００３７】
化粧品組成物は、メークアップ組成物または手入れ組成物から、たとえばファンデーション、口紅、アイシャドー、日焼け止めクリームから、選択され得る。
【００３８】
その態様の別のものによる本発明のさらなる対象が、本発明によるリザーバが中に保持される本体と、本体に対して可動の、たとえば本体に蝶番で接続されている、カバーとを有する、特にメークアップ用の化粧品ケーシングである。
【００３９】
リザーバは、ユーザによるケーシングの最初の使用時、全体的に組成物で満たされていてもよい。変形形態では、組成物は本体内に含有されており、リザーバはケーシング内にまたは外に分離してパッケージングされている。薄膜シールが、組成物を含有するハウジングを閉鎖してもよい。最初の使用時、ユーザは薄膜シールを除去し、リザーバをハウジング内に嵌合させることができる。リザーバをハウジングの底部へ押し込むことにより、ユーザはそれに製品を装填することを確実にする。
【００４０】
本発明のさらなる対象が、本発明による物品およびケーシング、レフィル、または小袋を含む組立体である。
【００４１】
ケーシングは、たとえば、物品を保持する本体と、不使用時に物品へのアクセスを防止するためのカバーとを有する。このカバーは、漏れ止め式にまたは非漏れ止め式にケーシングを閉鎖することができる。物品はたとえば皿状部により担持され、ケーシングの本体は皿状部を保持するように構成されている。皿状部を伴う物品は、たとえば箱または小袋内にパッケージングされ得るレフィルを形成し得る。
【００４２】
ケーシングの本体はたとえば熱可塑性材料で作製されている。
【００４３】
ケーシングのカバーは本体にねじで留められているかまたは蝶番で接続されている。スナップ留めシステムまたは磁石固定システムが設けられて、ケーシングを閉鎖形態に保ってもよい。
【００４４】
ケーシングは鏡を有していてもよく、必要に応じて、化粧品アプリケータを保持するためのハウジングを呈し得る。
【００４５】
カバーは、上面図において、矩形、楕円形、円形、または他の外形を有し得る。
【００４６】
物品はケーシング内の任意の手段により、かつたとえばケーシングの本体に取り付けられている保持リングにより、保持され得る。
【００４７】
ケーシングは、様々な方法で装飾された、たとえば金属化された、塗料を塗られた、スクリーン印刷された、または何らかの他の方法で装飾された、外面を有し得る。
【００４８】
レフィルは、ユーザがそれを用いて組成物を集め取るために物品を使用することができるように、ケーシング上にレフィルを嵌合するだけでよい形態の物品を含有し得る。
【００４９】
レフィルでは、物品が、プラスチック材料で作製されている皿状部を保持し得る。この皿状部は、物品の高さよりも高い高さ、または変形形態では物品の高さよりも低い高さを有し得る。
【００５０】
嵌合されると、皿状部は、カバーの反対側にケーシングの底部を画定することができる。
【００５１】
また、物品は、ケーシングの本体に取り付けられている皿状部に担持されることなく、ケーシングの本体内に直接配設され得る。
【００５２】
皿状部は、スナップ留め、摩擦、またはねじ留めにより、ケーシングの本体に固定され得る。
【００５３】
物品が小袋内に含まれている場合、物品は皿状部内に配設され、レフィルを形成し得る。変形形態では、小袋は物品のみを、かつ必要に応じて組成物も、含む。小袋は熱可塑性材料で作製されてもよく、随意に金属化され得る。小袋はヒートシールにより閉鎖されている可能性がある。小袋は、引裂きの開始部を構成する切欠きを有し、それを開けやすくし得る。
【００５４】
小袋はポリオレフィンを含み得る。
【００５５】
小袋は、組成物の揮発性成分のいかなる蒸発も回避するために、密封され得る。
【００５６】
その態様の別のものによる本発明のさらなる対象が、メークアップ方法であり、前段で定められているように、本発明による物品のリザーバ上で組成物を集め取るステップと、それをヒトの角質物質、特に皮膚に、場合によりアプリケータを用いて塗布するステップとを含む。集め取りの間、ユーザは、第1の層および第2の層を互いに向かって移動させるために、フィラメントを変形させることができる。
【００５７】
本発明のさらなる特徴および利点が、その非限定的例示的実施形態の以下の詳細な説明を読むことにより、かつ添付図面を検討することにより、明らかになるであろう。
【図面の簡単な説明】
【００５８】
【図１】本発明によるケーシングの例の断面図である。
【図２】リザーバ単独の図である。
【図３】リザーバの底面図である。
【図４】図3のIVに沿った上面図である。
【図５Ａ】変形物品の第1の層のモチーフの例の図である。
【図５Ｂ】変形物品の第2の層のモチーフの例の図である。
【図６Ａ】リザーバの第1の層と第2の層との間にあるフィラメントの配置の例の図である。
【図６Ｂ】リザーバの第1の層と第2の層との間にあるフィラメントの配置の例の図である。
【図６Ｃ】リザーバの第1の層と第2の層との間にあるフィラメントの配置の例の図である。
【図７】変形リザーバの図である。
【図８】変形リザーバの概略分離断面図である。
【発明を実施するための形態】
【００５９】
図1に示されている本発明による化粧用物品1は、本体3を有するケーシング2を有する。
【００６０】
また、ケーシング2は、たとえば本体3に蝶番で接続されているかまたは何らかの他の方法で固定されている、たとえば本体3にねじで留められている、カバー5を有する。
【００６１】
ケーシング2は、たとえばケーシング本体3上のカバー5と同じ回転軸を中心として蝶番で接続されている要素であるアプリケータホルダ6を収容できる。
【００６２】
アプリケータ7はたとえばパウダーパフタイプであり、たとえばフォームスポンジで構成されている。
【００６３】
当該例では、皿状部4がケーシングの本体3のハウジング8内に受容されている。皿状部4はリザーバ10を収容できる。
【００６４】
ケーシング2は、皿状部4の上方に到達する環状リップ9を有し、このリップ9は、リザーバ10を適切な位置に保つために、皿状部4の底部に向かって折り畳まれている縁部を有する。
【００６５】
本発明によれば、図2および図3により詳細に示されている通り、リザーバ10は、一連のフィラメント13により共に結合されている第1の織物層11と第2の織物層12とを有する。そのようなリザーバは、特許文献２または特許文献３の出願における教示の通り、編むことにより製造され得る。層は合成材料を編むことにより製造される。適している可能性のある織物構造体の例が、「SPACER FABRICS」の名で織物用途で市販されている。
【００６６】
スペーサを形成しているフィラメント13の網製品の厚さeは、たとえば1mmから25mmの間、さらにより良くは3mmと20mmの間、さらにより良くは10mmと15mmの間である。フィラメント13の長さは詳細には3mm以上であることが好ましい。
【００６７】
本発明によれば、リザーバ10は組成物Cを含有しており、組成物はリザーバ10の内部に大部分含有されており、特にリザーバ内に全体的に含有されている。
【００６８】
図示の通り、製品を集め取るためにユーザがリザーバをその指またはアプリケータ7を用いて押圧した時に組成物Cがリザーバ10からゆっくり出るようにするのに役立つフィルタを第1の層11が構成するように、この層は目の細かい層である可能性がある。
【００６９】
第2の層12は、特に皿状部4が組成物を含有している場合にリザーバ10が皿状部4内に嵌合された場合、組成物Cの通過を容易にする穿孔14を有する、低密度構造体を有する。この作業の間、リザーバ10は皿状部の底部の方向に押圧される。穿孔14の存在は、組成物が、第1の層11と第2の層12との間の自由空間16内へより容易に侵入することを可能にする。
【００７０】
図6Cは、特に、フィラメント13が第2の層12の固体部に結合されているだけなので、穿孔14の領域において、リザーバ内でより大きい空間が利用可能であることを示す。
【００７１】
フィラメント13はリザーバ10の内部で様々な配向を与えられ得る。たとえば、図6Aに示されている通り、フィラメント13は、たとえば1つの同じ方向に方向付けられている凹面を有して、実質的に同一の方法で実質的にすべて湾曲させられていることが可能である。
【００７２】
変形形態では、図6Bに示されている通り、フィラメント13は交差している。すなわち、反対方向に向く凹面を有するフィラメント13aと13bとが存在する。これは、ユーザが第1の層11を押圧すると、それが皿状部4の軸に沿って変形することを可能にする。
【００７３】
穿孔14は非常に多様な形状および寸法で与えられ得る。
【００７４】
スペーサを形成しているフィラメント13により接続されている2つの層を含む構造体は、たとえばパンチング要素またはレーザを用いて切削することにより成形され得る。
【００７５】
本発明は、第1の層および第2の層ならびにフィラメントを作り出すための特定の材料に限定されない。
【００７６】
たとえば、ポリアミド、ポリオレフィン特にポリプロピレン、またはポリエステルの糸を使用することが可能である。
【００７７】
異なる材料で作製された糸の混合物を使用することが可能である。
【００７８】
表面をより柔らかくするために、様々な処理、たとえば磨耗処理、が第1の層11に適用され得る。
【００７９】
また、図7に示されている通り、組成物Cに透過性である少なくとも1つの上層15、たとえば織物または不織布、を第1の層11に取り付けることが可能である。この場合、製品がこの上層15により到達しやすくするために、たとえば第2の層12の穿孔14に相当するサイズを有する穿孔14を有する第1の層11を作り出すことが有利である可能性がある。
【００８０】
上層15は第1の層11にたとえば接着されるか、または何らかの他の方法で、たとえば溶接または縫合により、固定される。
【００８１】
層15は、所望される感触に応じて、テクスチャ付与されていてもよい。たとえば、第3の層はエンボス加工されている。
【００８２】
一変形形態では、いくつかの構造体10が互いに重ね合わせられている。また、構造体10を自体の上に折り畳むことが可能である。
【００８３】
本発明は、記載された例に限定されない。
【００８４】
本例では溶接により第1の層11と第2の層12がそれらの周囲18において共に結合される選択肢が、具体的には前述のテクスチャ、材料、および外観についての例と組み合わされた図8の変形形態では示されているが、たとえば縫合などの他のタイプの接続が考えられ得る。第1の層11および第2の層12の周囲18の全体は図示の例の場合のように結合されてもよいし、または部分のみが結合されてもよい。また本例では、フィラメント13は少なくとも3mmの長さを有する。
【００８５】
特に、リザーバを、何らかの他の方法で作製されたケーシング内に取り付けることが可能である。
【符号の説明】
【００８６】
1  化粧用物品
2  ケーシング
3  本体
4  皿状部
5  カバー
6  アプリケータホルダ
7  アプリケータ
8  ハウジング
9  環状リップ
10  リザーバ、構造体
11  第1の織物層、第1の層
12  第2の織物層、第2の層
13  フィラメント
13a  フィラメント
13b  フィラメント
14  穿孔
15  上層
16  自由空間
18  周囲
C  組成物
e  (フィラメント13の網製品の)厚さ
【図１】
0006921295.tif 000002
【図２】
0006921295.tif 000003
【図３】
0006921295.tif 000004
【図４】
0006921295.tif 000005
【図５Ａ】
0006921295.tif 000006
【図５Ｂ】
0006921295.tif 000007
【図６Ａ】
0006921295.tif 000008
【図６Ｂ】
0006921295.tif 000009
【図６Ｃ】
0006921295.tif 000010
【図７】
0006921295.tif 000011
【図８】
0006921295.tif 000012